(57)【要約】【課題】  （１）従来から建具自動閉鎖の機械はあるが比較的高額で又専門職によらなければ取付けが困難であった。又  自動閉鎖の機械は下地が無い建具には取付けられない場合もある。  （２）建具を毎回閉めるのが面倒である。  （３）引戸には自動で閉まる簡単な装置がない。  （４）愛玩動物は建具を開ける事ができるが閉めない為開け放しにされる。【解決手段】  発明のドアクローズはドアの場合、建具の開く側の上枠に取り付け、ドアの上部にフックを取り付け、ドアクローズのワイヤーの先端をそのフックに引掛ける。ドアを開いて手を放すと渦巻きバネの反力でワイヤーが巻き取られドアは自動的に閉る。  発明のドアクローズは引戸の場合、建具の開く側の上部に取り付け、引戸の閉る側の外枠上部にフックを取り付け、ドアクローズのワイヤーの先端をそのフックに引掛ける。引戸を開いて手を放すと渦巻きバネの反力でワイヤーが巻き取られ引戸は自動的に閉る。【選択図】    図１
2004339936.tif 000002
【特許請求の範囲】
【請求項１】
ドアの外上枠に発明のドアクローズを取付け、ドアにフックを取り付けフックにドアクローズのワイヤーを引掛ける。ドアを開いた後ドアクローズに仕込まれた渦巻きバネの力によりワイヤーが巻き取られ、ドアが引張られ自動的にドアが閉まる為の、ドアクローズ。
【請求項２】
引戸建具上部端に発明のドアクローズを取付け、引戸外枠にフックを取り付けフックにドアクローズのワイヤーを引掛ける。引戸を開けた後ドアクローズに仕込まれた渦巻バネの力によりワイヤーが巻き取られ、引戸を引張り自動的に引戸が閉る為の、ドアクローズ。
【発明の詳細な説明】
【技術分野】
【０００１】
この発明は、ドア外枠の開く方の上部に取付けたワイヤー自動巻取り機で、ワイヤーの端部をドアのフックに引掛け、ドアが開いた後手を離せば渦巻バネの反力でワイヤーを巻き取り、引張られたドアが自動的に閉る為のドアクローズに関するものである。
【０００２】
この発明は、開く側の引戸建具の上部に取付けたワイヤー自動巻取り機で、ワイヤーの
端部を閉る側の引戸の外枠のフックに引掛け、引戸を開けた後手を離せば渦巻バネの反
力でワイヤーを巻き取り、引張られた引戸が自動的に閉るためのドアクローズに関するものである。
【背景技術】
【０００３】
（１）従来の建具ドアに取付ける自動閉鎖のドアクローザーやドアチェックは比較的高額で専門職によらなければ取付けが困難であり、又場合によっては建具に下地が無いために取付けられない建具もある。
【特許文献１】特開平８−３１９７５７号公報
【発明の開示】
【発明が解決しようとする課題】
【０００４】
次のような問題点があります。
（１）建具を毎回開け閉めするのが面倒な時がある。
（２）冷暖房時に建具を締め忘れた場合は熱効率が悪くなる。
（３）ドアを自動に締めるドアクローザーやドアチェックはすでに市販されているが、比較的高額で専門職によらなければ取り付けられない人もいる、又その機械を取り付ける下地のない既設の建具では取り付けられない場合もある。
（４）建具を開けて出入りするペットの犬や猫は多いが、どのペットも閉める事が出来ない。
（５）室内の一般的な木製引戸建具には自動で閉まる簡単な装置がない。
以上のような問題点を解決する為に発明されたものである。
【課題を解決するための手段】
【０００５】
建具枠や建具框の上部に取りつけたドアクローズ（自動ワイヤー巻き取り器）と、ドアクローズのワイヤーの先を他方の建具や建具枠に取り付け、建具を開き手を放すと、渦巻きバネの力でワイヤーを巻き取り、建具が自動的に閉まる。
以上のような構成よりなるドアクローズである。
【発明の効果】
【０００６】
（１）建具が自動的に閉まるので諸作業時、閉める動作を省ける。又冷暖房の熱効率を損
わない。
（２）簡単な構造なので安価に製造でき、又誰でも取り付けは簡単にできる。
（３）建具が自動的に閉まる為、ペットの犬や猫に開け放しにされない。
（４）既設の建具にも取り付けは可能である。
（５）建具を自動的に閉めたく無い場合は、建具に取り付いているフックからワイヤーを外しておけばドアクローズにワイヤーが巻き取られ見苦しくなく自動的に閉らない一般的な建具に成る。
【発明を実施するための最良の形態】
【０００７】
以下、この発明の実施例について説明する。
本発明のドアクローズはワイヤーを自動で巻き取る為のワイヤー巻き取り器とこれを保護するカバーから成る。
１  カバーは太鼓型で中央でＡとＢに分れ、Ａの中心にカバーの補強と、ワイヤー巻き取り器の中心軸となる受け台を設ける。
２  この受け台にカバーを固定する貫通穴、並び渦巻きバネの端部を固定する切れ込を設
ける。
３  カバーの受け台にカバーとワイヤー巻き取り器の摩擦を少なくするためのワッシャをはさむ。
４  ワイヤー巻き取り器は円筒型で底板を設け、それに受け台を通す穴をあける。ワイヤーを巻く台の断面をＭ型とし、ワイヤーを巻き取る際に中央に巻き取れるようにする。
５  ワイヤー巻き取り器の内側に渦巻きバネを設置し、外側にワイヤーを巻く。
６  渦巻きバネの端部にワイヤー結合用の切れ込み又は穴をあけ、ワイヤーを通し輪をつくりバネとワイヤーを結合し、カシメ金物で固定する。
７  ワイヤー巻き取り器の内側に設置したバネと外側に巻いたワイヤーを交差するために、ワイヤーを巻く台に欠き込みをいれ、ここにワイヤーを通し、内側には渦巻きバネ、外側にはワイヤーを巻きバネとワイヤーを接合し取り付ける。
８  ワイヤー巻き取り器をカバーＡの受け台に設置し、渦巻きバネの中心部の端部をＳ型に折り曲げ受け台の切れ込みに渦巻きバネを差し込み固定する。
９  渦巻きバネを巻き取った際、バネの乱れを防止するための、渦巻きバネ保護カバーをかぶせる。
１０  カバーＢの中心にも貫通穴を設ける。
１１  カバーＢをカバーＡにかぶせワイヤー自動巻き取り器の保護をする。
１２  カバーＡとカバーＢとをかぶせる際、カバーのずれを防止する為の、ずれ防止用欠き込みをＡとＢに設ける。
１３  ワイヤーをカバーから引出す口には、はとめ金物で穴をあけ、これにワイヤーを通し引き出す。
１４  引き出すワイヤーの端部に輪をつくり、カシメ金物で固定する。
１５  カバーＡよりビスを差し込み建具の開く側の外枠等に固定する。
１８  建具外枠に建具の戸当りが飛出している構造の外枠には、ワイヤーが接触しない為の、取り付け補助部品を建具外枠とドアクローズの間にはさみ取り付ける、この際、取り付け補助部品の中央にも貫通ビス穴を設けておき、カバーＡよりビスを差し込み取り付け補助部品を貫通し建具の外枠等に固定する。
１６  建具の開く側の上部にフック付きビスを取り付ける。
１７  このフック付きビスのフックにワイヤー端部の輪を引掛ける。
ドアを開くとワイヤーが引張られ、ワイヤー自動巻き取り器が回転し、カバーＡの受け台に渦巻きバネを固定している為、渦巻きバネに力が加わり、開いたドアを手放すと、渦巻きバネの反力でワイヤーが巻き取られドアは自動的に閉る。
この際、ドアの大きさや重さにより、渦巻きバネの強さやワイヤーの太さを考慮し、それに伴いカバーの大きさも変化する。
以上のような構造の片開きドアに取り付けるドアクローズである。
【０００８】
引戸に取り付けるドアクローズについて説明する。
１  前説明のドアクローズと構造は同じであるが、前記１０のカバーＢにドアクローズ回転防止用の耳を設け、それにビス穴をあける
２  ドアクローズを開く側の引戸上部に取り付ける。
３  フック付きビスを引戸が閉る外枠に取り付ける。そのフックにドアクローズのワイヤーを引掛ける。
４  引戸を開いてドアクローズのワイヤーが引張られた時、ドアクローズが回転する為、説明１で説明した回転防止用の耳のビス穴にビスを入れ建具に固定する。この際、巻きバネの強さに合せ耳を１ヶ所か又は２ヶ所設ける。
引戸を開き手を放すと自動的に引戸が閉るドアクローズである。
【実施例】
【０００９】
１  ドアクローズは自動的に閉めたいドアに使用する。
２  ドアクローズは自動的に閉めたい戸車のついた建具か比較的軽い引戸に使用する。
３  ドアクローズは既設の建具に取付できる
４  ドアクローズは愛玩動物の専用出入口の建具にも使用できる。
【図面の簡単な説明】
【００１０】
【図１】本発明を片開きドアの外枠に取り付けた使用例の斜視図である。
【図２】本発明を下から見上げてドア外枠に取り付けた平面図である。
【図３】ドア外枠に戸当りがある場合に取り付ける取り付け補助部品の平面図
【図４】本発明の内部の平面図
【図５】本発明をドアの戸当りのついた枠に取り付けた場合の断面図
【図６】本発明をドアの戸当りの無い枠に取り付けた場合と引戸の建具に取り付けた場合の断面図
【図７】本発明のドア用部品の組立図である。戸当りの無い枠の場合は記号タを省略する。
【図８】本発明を引戸に取り付けた正面図
【図９】本発明の引戸用部品の組立図である。
【図１０】本発明を引戸に取り付けた使用例の斜視図である。
【符号の説明】
【００１１】
ア  ドアクローズ
イ  ワイヤー
ウ  ワイヤー端部の輪
エ  カバーＡ
オ  渦巻きバネ取り付け切り込み付き受け台
カ  ビス貫通穴
キ  ずれ防止用欠き込み
ク  ワッシャ
ケ  受け台貫通穴
コ  ワイヤー巻き取り器
サ  渦巻きバネとワイヤーがワイヤー巻き取り器の内と外とを交差する為の欠き込み
シ  渦巻きバネ
ス  渦巻きバネとワイヤーの結束部分
セ  渦巻きバネ保護カバー
ソ  カバーＢ
タ  ドアの外枠に戸当りがある場合の、取り付け補助部品
チ  取り付け貫通ビス
ツ  はとめ金物
テ  フック付きビス
ト  ドア外枠
ナ  ドア
ニ  建具及び外枠
【図１】
2004339936.tif 000003
【図２】
2004339936.tif 000004
【図３】
2004339936.tif 000005
【図４】
2004339936.tif 000006
【図５】
2004339936.tif 000007
【図６】
2004339936.tif 000008
【図７】
2004339936.tif 000009
【図８】
2004339936.tif 000010
【図９】
2004339936.tif 000011
【図１０】
2004339936.tif 000012